(57)【特許請求の範囲】
【請求項１】
設置面に起立すると共に、内部に電気配線を通線する第一配線空間が形成された脚と、
前記脚により支持されて水平方向に延設すると共に、前記電気配線を通線する第二配線空間を形成する中間構造体と、
前記中間構造体に支持される天板と、
前記中間構造体の側面に配置され、前記電気配線に接続されて電気の供給を受けるコネクタと、
前記中間構造体に形成され、前記脚および前記コネクタを長手方向に沿う任意の位置で連結する連結部と、
を備え、
前記中間構造体は、前記天板の長手方向に延設すると共に、前記長手方向と交差する方向において対向する一対の杆材を備え、
前記連結部は、前記杆材同士で互いに対向する側面に形成され、
前記コネクタは、前記電気配線を通線する第三配線空間を形成する取付部材を備え、
前記取付部材は、前記長手方向から見て前記杆材を下方から包み込むようにして前記杆材を跨いだ略Ｕ字形に形成され、前記杆材の前記側面に支持されることを特徴とする什器システム。
【請求項２】
前記杆材同士の間に架設されて、前記第二配線空間の下面となる配線受部材をさらに備えることを特徴とする請求項１に記載の什器システム。
【請求項３】
前記第二配線空間は、前記天板の長手方向において、前記脚の両側に形成されることを
特徴とする請求項１または２に記載の什器システム。
【発明の詳細な説明】
【技術分野】
【０００１】
本発明は、什器システムに関する。
【背景技術】
【０００２】
各種の会議、作業等を行う天板付き家具は、例えば特許文献１〜４に開示されているように、天板と脚とからなり、さらにコネクタを備える。
【０００３】
特許文献１に開示されているテーブルは、大型の天板に対して任意の方向からアプローチ可能な会議テーブルである。このようなテーブルは、複数人で使用されることから、電気配線に接続されて電気の供給を受けるコネクタが天板の上面の中央に形成されている。このような構成により、天板上のどの部位を使用する場合でも、ほぼ等しい距離でコネクタに配線を送ることが可能になる。
【０００４】
特許文献２および３に開示されているテーブルは、天板を支持する脚の上部近傍の部位に、コネクタが形成されている。このような構成により、コネクタが使用者の手元に近い部位に配置されて、配線を送る作業が容易になる。
【０００５】
特許文献４に開示されているテーブルは、天板の外周縁部に外嵌されたエッジ部材にコネクタが形成されている。エッジ部材は、押出成形等により長手方向に連続する形状に形成され、コネクタは、エッジ部材の下方および天板の内周方向にオフセットした部位に配置されている。
このような構成により、天板の長手方向（幅方向）における任意の位置であって、下面側における外周縁部近傍にコネクタが配置される。このため、コネクタが使用者の手元に近い部位に配置されて、配線を送る作業が容易になる。
【先行技術文献】
【特許文献】
【０００６】
【特許文献１】米国特許第７９２６４３０号明細書
【特許文献２】実公昭６２−５９０２号公報
【特許文献３】特許第３２７６９１０号公報
【特許文献４】特開２０１４−６１１９５号公報
【発明の概要】
【発明が解決しようとする課題】
【０００７】
しかしながら、特許文献１に開示されているテーブルでは、天板が大型化すればする程、使用者からコネクタまでの距離が大きくなり、配線を送る作業が困難になるという問題がある。
また、特許文献２および３に開示されているテーブルでは、コネクタの配置位置が脚の上部に限定されることから、大型テーブルに応用し難いという問題がある。このため、脚の数を増やすことも考えられるが、製造コストの増大や使用者の足に当たる部位が増えてしまう。
さらに、特許文献４に開示されているテーブルでは、高さ方向および奥行方向の二方向においてエッジ部材が非常に大きくなってしまう。このため、コンセント等の抜き差し作業による荷重が、コネクタが脱落する方向へのモーメントとして大きく作用するという問題がある。
【０００８】
本発明は、このような問題点に鑑みてなされたものであって、天板が大型化した場合であっても、使用者の手元に近く、且つ、天板の長手方向における任意の位置にコネクタを堅固に配置することができる什器システムを提供することを目的とする。
【課題を解決するための手段】
【０００９】
上記課題を解決するために、この発明は以下の手段を提案している。
本発明の什器システムは、設置面に起立すると共に、内部に電気配線を通線する第一配線空間が形成された脚と、前記脚により支持されて水平方向に延設すると共に、前記電気配線を通線する第二配線空間を形成する中間構造体と、前記中間構造体に支持される天板と、前記中間構造体の側面に配置され、前記電気配線に接続されて電気の供給を受けるコネクタと、前記中間構造体に形成され、前記脚および前記コネクタを長手方向に沿う任意の位置で連結する連結部と、を備え、前記中間構造体は、前記天板の長手方向に延設すると共に、前記長手方向と交差する方向において対向する一対の杆材を備え、前記連結部は、前記杆材同士で互いに対向する側面に形成され、前記コネクタは、前記電気配線を通線する第三配線空間を形成する取付部材を備え、前記取付部材は、前記長手方向から見て前記杆材を下方から包み込むようにして前記杆材を跨いだ略Ｕ字形に形成され、前記杆材の前記側面に支持されることを特徴とする。
【００１０】
この発明によれば、脚およびコネクタを長手方向に沿う任意の位置で連結する連結部を備えるので、天板の大きさに合わせて、且つ、脚の位置に関係なく、適切な位置にコネクタを取り付けることができる。さらに、天板の大きさに合わせてコネクタを複数取り付けることも可能である。このため、どの位置においても使用者は容易にコネクタにアクセスすることができるようになる。
コネクタに接続される電気配線は、脚の内部に形成された第一配線空間から中間構造体の第二配線空間へ至るので、外部に露出することがなく、安全性に優れる。
また、コネクタは、天板ではなく、中間構造体に取り付けられているので、コンセント等の抜き差しに伴って発生するモーメントは中間構造体にのみ作用する。中間構造体は、天板を支持する強固な構造体であり、モーメントに対して十分強い。したがって、コネクタの支持強度が増強される。
また、第二配線空間を大きく確保でき、大量の電気配線を収容して、多くのコネクタを設けることが可能になる。また、連結部が外側に向けて露出しないので、什器システムの外観意匠を損なうことがない。
また、杆材において杆材同士で互いに対向する側面に形成された連結部に対してコネクタを固定することができる。また、電気配線が露出しないので、外観意匠を損なうことがない。
【００１３】
また、上記の什器システムにおいて、前記杆材同士の間に架設されて、前記第二配線空間の下面となる配線受部材をさらに備えることを特徴とする。
この発明によれば、第二配線空間に敷設される電気配線を良好に敷設することができる。また、電気配線を大量に収容した場合であっても、電気配線が下方に垂れ下がることがなく、電気配線が足に引っかかる等の危険を防止できる。
【００１４】
また、上記の什器システムにおいて、前記第二配線空間は、前記天板の長手方向において、前記脚の両側に形成されることを特徴とする。
この発明によれば、天板の長手方向の全長にわたって、コネクタを任意の位置に取り付けることができる。このため、天板が大型化した場合であっても、コネクタに対して容易にアクセスすることができるように、コネクタをレイアウトすることができる。
【発明の効果】
【００１５】
本発明の什器システムは、天板が大型化した場合であっても、使用者の手元に近く、且つ、天板の長手方向における任意の位置に、コネクタを堅固に配置することができる。
【図面の簡単な説明】
【００１６】
【図１】本発明の一実施形態に係る什器システムを示す斜視図である。
【図２】テーブルを示す斜視図である。
【図３】テーブルをＸ方向から見た図である。
【図４】テーブルをＹ方向から見た図である。
【図５】脚と天板の連結構造を示す図である。
【図６】脚と天板の連結構造を示す拡大図である。
【図７】テーブルに装着されたコネクタを示す斜視図である。
【図８】コネクタをＸ方向外側から見た斜視図である。
【図９】コネクタをＹ方向から見た斜視図である。
【図１０】コネクタをＸ方向内側から見た斜視図である。
【図１１】コネクタの分解図である。
【図１２】配線受部材を示す斜視図である。
【発明を実施するための形態】
【００１７】
以下、添付図面を参照して、本発明に係る什器システムの実施形態を説明する。なお、本発明はこの実施形態のみに限定されるものではない。
【００１８】
図１は、本発明の一実施形態に係る什器システムを示す斜視図である。図２は、テーブルを示す斜視図である。図３は、テーブルをＸ方向から見た図である。図４は、テーブルをＹ方向から見た図である。図５は、テーブルの脚と天板の連結構造を示す図である。図６は、脚と天板の連結構造を示す拡大図である。
【００１９】
什器システム１は、テーブル１０とコネクタ６０を備える。
テーブル１０は、床面Ｆ上に起立する複数の脚２０と、これら複数の脚２０に支持される天板３０等を備えている。
【００２０】
本実施形態のテーブル１０において、天板３０は、例えば平面視長方形状であり、短手方向（奥行方向）をＸ方向、長手方向をＹ方向という。なお、短手方向（Ｘ方向）は、長手方向（Ｙ方向）と交差する方向である。
天板３０は、平面視長方形状に限らず、長円形、楕円形等の平面視形状としてもよい。
【００２１】
天板３０は、例えば、パネル状の芯材と、その上下の表面を覆う表面材と、から構成されている。
脚２０は、天板３０のＹ方向の両端側に位置するようにそれぞれ立設されている。各脚２０は、Ｘ方向の両端にそれぞれ設けられた脚部材２１と、これら脚部材２１の上部同士を連結する上部連結部材２２と、脚部材２１の下部同士を連結する下部連結部材２３と、を備えている。
【００２２】
上部連結部材２２は、脚部材２１の上端２１ｔよりも下方に位置するよう設けられている。言い換えると、脚部材２１は、上部連結部材２２よりも上方に向かって延出するように配置される。
下部連結部材２３は、脚部材２１の下端２１ｂよりも上方に位置するよう設けられている。これにより、下部連結部材２３と床面Ｆとの間に隙間Ｓが形成される。この隙間Ｓを通して下部連結部材２３の下方に電気配線１００を敷設することができる。
【００２３】
各脚部材２１は、Ｙ方向の幅寸法が、下方から上方に向けて漸次増大するよう形成されている。
各脚部材２１は、Ｘ方向から見ると、傾斜するように配置される。具体的には、一対の脚２０は、脚２０同士の間隔が上方から下方に向かって漸次拡大し、略八の字状に配置されている。
【００２４】
また、脚２０は、Ｘ方向の幅寸法が、上方から下方に向けて漸次増大するよう形成されている。
脚２０は、中空構造とされ、その内部空間（第一配線空間Ｓ１）に電気配線１００を床面Ｆから天板３０に向けて挿通させることができる。
【００２５】
天板３０の下面３０ｂと脚２０の上部連結部材２２の上面との間には、水平方向に延在する中間構造体３５が設けられる。
中間構造体３５は、Ｙ方向に沿って延びる一対のビーム４０と、この一対のビーム４０の間に架け渡される複数の連結ビーム４８からなる。
ビーム４０は、天板３０のＸ方向に所定間隔を空けて二本一対で設けられている。各ビーム４０は、Ｙ方向に直交する断面が、上下方向に長く、Ｘ方向に短い略長方形状である。ビーム４０の内側面４０ａには、上下に間隔を空けて２本の溝４２が形成されている。内側面４０ａは、一対のビーム４０においてビーム４０同士で互いに対向する側面である。２本の溝４２は、Ｙ方向に沿って全長にわたって連続して形成されている。各溝４２は、いわゆるアリ溝状に形成されている。
【００２６】
各ビーム４０は、その上面を天板３０の下面３０ｂに突き当てた状態で、取付金具４１を介して天板３０に固定されている。取付金具４１は、Ｙ方向から見ると、略直角三角形状をなしており、天板３０の下面３０ｂにネジ止めされる。
取付金具４１の外側面には、ボルト５１と座部材５２によってビーム４０が連結される。座部材５２は、雌ネジ孔を有し、溝４２に挿入されて溝４２から脱落することなくＹ方向に移動可能である。この座部材５２に対して取付金具４１を介してボルト５１をねじ込むことで、取付金具４１とビーム４０が連結される。
【００２７】
取付金具４１は、天板３０の下面３０ｂにおいて、Ｙ方向に間隔を空けた複数箇所に配置されている。取付金具４１は、脚２０同士の間隔よりも小さな間隔で配置されている。これにより、天板３０とビーム４０が複数の取付金具４１を介して連結されている。
【００２８】
連結ビーム４８は、Ｘ方向に沿って延び、その両端部がビーム４０に連結されている。複数の連結ビーム４８は、Ｙ方向に間隔を空けて配置される。つまり、二本のビーム４０と複数の連結ビーム４８が平面視梯子状に連結されている。
【００２９】
二本のビーム４０の間には、平板形の配線受部材７０が架け渡される。これにより、二本のビーム４０の間には、Ｙ方向に延びる空間が形成される。この空間（第二配線空間Ｓ２）に電気配線１００をＹ方向に向けて敷設することができる。
配線受部材７０については、後述する。
【００３０】
脚２０の上部連結部材２２の上面２２ｔには、ビーム４０を固定する固定ブラケット２４が設けられている。固定ブラケット２４は、上部連結部材２２の上面２２ｔに沿って固定されたベース部２５と、Ｘ方向の両端からそれぞれ上方に延びる固定壁２６と、が一体に形成されている。
そして、ビーム４０が固定壁２６と脚部材２１の間に配置される。
【００３１】
天板３０は、下面３０ｂが脚部材２１の上端２１ｔに直接突き当たることで脚部材２１によって直接支持されている。
ビーム４０は、座部材５５とボルト５６によって固定壁２６に固定されている。座部材５５は、雌ネジ孔を有し、溝４２に挿入されて溝４２から脱落することなくＹ方向に移動可能である。この座部材５５に対して固定壁２６を介してボルト５６をねじ込むことで、ビーム４０と固定壁２６が連結される。つまり、脚２０がビーム４０に固定される。
したがって、脚２０は、ビーム４０に対して、Ｙ方向の任意の位置に取付可能となっている。つまり、ビーム４０に形成された溝４２と、この溝４２に挿入されてＹ方向に移動する座部材５５により、連結部３６が構成される。
【００３２】
図７は、テーブル１０に装着されたコネクタ６０を示す斜視図である。図８は、コネクタ６０をＸ方向外側から見た斜視図である。図９は、コネクタ６０をＹ方向から見た斜視図である。図１０は、コネクタ６０をＸ方向内側から見た斜視図である。図１１は、コネクタ６０の分解図である。図１２は、配線受部材７０を示す斜視図である。
【００３３】
コネクタ６０は、二本のビーム４０の外側面に配置される箱状の部材である。複数のコネクタ６０は、ビーム４０の外側面４０ｃに配置される。各コネクタ６０には、第二配線空間Ｓ２から敷設された電気配線１００が接続されており、電気配線１００を介して電気の供給を受ける。
コネクタ６０は、ケース部材６１と取付部材６５を備える。
【００３４】
ケース部材６１は、Ｙ方向に沿って延びる角管形の部材であり、Ｙ方向の両端が蓋体６４により閉塞される。
ケース部材６１のＸ方向外側を向く面（外側面６１ａ）には、開口６２が形成される。この開口６２には、電源コンセントやＬＡＮコネクタ等のインターフェースが配置されて、電気配線１００が接続される。
これにより、テーブル１０の使用者がコネクタ６０に電源コード等の配線を送ることができる。
ケース部材６１の下面６１ｂには、電気配線１００を挿通する開口６３が形成される。電気配線１００は、第二配線空間Ｓ２から引き回されて、この開口６３からケース部材６１の内部に挿通される。
【００３５】
取付部材６５は、ケース部材６１をビーム４０に対して固定すると共に、電気配線１００を収容する部材である。
取付部材６５は、ビーム４０を跨ぐ形状を有する。すなわち、取付部材６５は、Ｙ方向から見ると略Ｕ字形に形成されて、ビーム４０を下方から包み込むように配置される。
【００３６】
取付部材６５は、トレー部６５ａと係止部６５ｂを有する。
トレー部６５ａは、下方に窪む矩形のトレー状に形成される。また、トレー部６５ａは、Ｙ方向から見ると略Ｌ字形に形成される。そして、トレー部６５ａは、ケース部材６１の下面６１ｂに固定されて開口６３を覆い隠すと共に、ビーム４０の下面４０ｂに密着する。
係止部６５ｂは、トレー部６５ａの端部から上方に立設して、ビーム４０の内側面４０ａに密着固定される。トレー部６５ａの上端には、ビーム４０の上方の溝４２に係合する一対のフック６６と、ビーム４０の下方の溝４２に対応した２つのボルト孔６７が形成される。そして、フック６６を溝４２に係合すると共に、ボルト孔６７に挿通したボルト５８をビーム４０の下方の溝４２に挿入した座部材５７にねじ込むことで、取付部材６５がビーム４０に固定される。座部材５７は、座部材５５と同様に、雌ネジ孔を有し、溝４２に挿入されて溝４２から脱落することなくＹ方向に移動可能である。
したがって、コネクタ６０は、ビーム４０に対して、Ｙ方向の任意の位置に取付可能となっている。つまり、ビーム４０に形成された溝４２と、この溝４２に挿入されてＹ方向に移動する座部材５７により、連結部３６が構成される。
【００３７】
ケース部材６１と取付部材６５の背面（Ｘ方向内側には、）には、ケース部材６１と取付部材６５とを連結する連結部材６９が取り付けられる。
連結部材６９は、Ｙ方向から見て略Ｌ字状に折り曲げられた板状部材である。連結部材６９の上端部には、ケース部材６１の外側面６１ａとは反対側の面に形成された溝部６１ｃと係合する係合突部６９ａが設けられている。また、連結部材６９の下端部には、取付部材６５のトレー部６５ａの底面に形成された貫通孔６５ｄと対応する位置に、ボルト６５ｃと螺合するナット６９ｂが設けられている。
連結部材６９の係合突部６９ａがケース部材６１の溝部６１ｃと係合し、ボルト６５ｃがトレー部６５ａの下側から貫通孔６５ｄを通して連結部材６９のナット６９ｂと螺合することで、ケース部材６１と取付部材６５とが連結部材６９を介して連結されている。
【００３８】
取付部材６５のトレー部６５ａには、連結部材６９との間にＸ方向に延びる空間が形成される。この空間（第三配線空間Ｓ３）に電気配線１００を敷設させることができる。つまり、取付部材６５は、ケース部材６１と第二配線空間Ｓ２の間に敷設される電気配線１００を収容する。
取付部材６５の係止部６５ｂには、第三配線空間Ｓ３に連通する開口６８が形成される。開口６８は、係止部６５ｂの下端に配置される。
【００３９】
開口６８は、第二配線空間Ｓ２に向けて開口する。具体的には、開口６８は、二本のビーム４０の間に架け渡された平板形の配線受部材７０に向けて開口する。
配線受部材７０は、第二配線空間Ｓ２の下面を形成する部材であり、略矩形に形成される。配線受部材７０には、電気配線１００が敷設される。
配線受部材７０の四隅には、取付片７１が突出形成される。各取付片７１は、ビーム４０の下方の溝４２に連結される部位であり、ビーム４０の下方の溝４２に対応したボルト孔７２が形成される。
そして、ボルト孔７２に挿通したボルト７３をビーム４０の下方の溝４２に挿入した座部材（不図示）にねじ込むことで、配線受部材７０が二本のビーム４０の間に架け渡されて固定される。この座部材は、座部材５５と同様に、雌ネジ孔を有し、溝４２に挿入されて溝４２から脱落することなくＹ方向に移動可能である。
したがって、配線受部材７０は、ビーム４０に対して、Ｙ方向の任意の位置に取付可能となっている。
【００４０】
また、各取付片７１のうちＹ方向の一方の側に配置される取付片７１は、ボルト７３に係合するフック形状を有している。これにより、他方の側に配置されるボルト７３の軸心を回動軸として配線受部材７０を回動させることで、一方の側の取付片７１を対応するボルト７３に係合させることができるので、配線受部材７０の取付作業を効率的に行うことができる。加えて、第二配線空間Ｓ２を開放させやすくなるので、什器システム１の組立後に通線作業を別工程で行う場合や、コネクタ６０の位置を変更する場合に、作業が容易になる。
【００４１】
コネクタ６０は、配線受部材７０の取付片７１同士の間に配置される。これにより、配線受部材７０に敷設された電気配線１００を取付部材６５の開口６８から第三配線空間Ｓ３に向けて挿通させることができる。
【００４２】
以上説明したように、本実施形態の什器システム１は、床面Ｆに起立すると共に、内部に電気配線１００を通線する第一配線空間Ｓ１が形成された脚２０と、脚２０により支持されて水平方向に延設すると共に、電気配線１００を通線する第二配線空間Ｓ２を形成する中間構造体３５と、中間構造体３５に支持される天板３０と、中間構造体３５の外側面４０ｃに配置され、電気配線１００に接続されて電気の供給を受けるコネクタ６０と、中間構造体３５の上面を除く面に形成され、脚２０およびコネクタ６０をＹ方向に沿う任意の位置で連結する連結部３６と、を備える。
【００４３】
このような構成によれば、什器システム１は、脚２０およびコネクタ６０をＹ方向に沿う任意の位置で連結する連結部３６を備えるので、天板３０の大きさに合わせて、且つ、脚２０の位置に関係なく、適切な位置にコネクタ６０を取り付けることができる。さらに、天板の大きさに合わせてコネクタ６０を複数取り付けることも可能である。このため、どの位置においても使用者は容易にコネクタ６０にアクセスすることができるようになる。
コネクタ６０に接続される電気配線１００は、脚２０の内部に形成された第一配線空間Ｓ１から中間構造体３５の第二配線空間Ｓ２へ至るので、外部に露出することがなく、安全性に優れる。
また、コネクタ６０は、天板３０ではなく、中間構造体３５に取り付けられているので、コンセント等の抜き差しに伴って発生するモーメントは中間構造体３５にのみ作用する。中間構造体３５は、天板３０を支持する強固な構造体であり、モーメントに対して十分強い。したがって、コネクタの支持強度が増強される。
【００４４】
また、中間構造体３５は、Ｙ方向に延設すると共に、Ｘ方向において対向する一対のビーム４０を備えるので、第二配線空間Ｓ２を大きく確保でき、大量の電気配線１００を収容して、多くのコネクタ６０を設けることが可能になる。
また、連結部３６は、ビーム４０の下面４０ｂまたは内側面４０ａに形成されるので、外側に向けて露出せずに、什器システム１の外観意匠を損なうことがない。
【００４５】
また、コネクタ６０は、ビーム４０を跨ぐ形状を有し、ビーム４０の内側面４０ａに支持される取付部材６５を備えるので、ビーム４０の内側面４０ａに形成された連結部３６に対してコネクタ６０を固定することができる。
また、取付部材６５が電気配線１００を通線する第三配線空間Ｓ３を形成するので、電気配線１００が露出せずに、外観意匠を損なうことがない。
【００４６】
また、什器システム１は、ビーム４０同士の間に架設されて、第二配線空間Ｓ２の下面となる配線受部材７０を備えるので、電気配線１００を良好に敷設することができる。また、電気配線１００を大量に収容した場合であっても、電気配線１００が下方に垂れ下がることがなく、電気配線１００が足に引っかかる等の危険を防止できる。
【００４７】
また、第二配線空間Ｓ２は、Ｙ方向において、脚２０の両側に形成されるので、天板が大型化した場合であっても、コネクタ６０を任意の位置に取り付けることができる。このため、コネクタ６０に対して容易にアクセスすることができるように、コネクタ６０をレイアウトすることができる。
【００４８】
なお、本実施形態では、配線受部材７０は電気配線１００を配置するために平板状に形成されているが、これに限らない。配線受部材７０は、所定の剛性を有して一対のビーム４０を互いに連結する強度部材としての機能をさらに有するように構成されてもよい。
【００４９】
また、本実施形態では、連結部３６はビーム４０の内側面４０ａに設けられているが、これに限らない。連結部３６は、ビーム４０の下面４０ｂまたは外側面４０ｃ、すなわち中間構造体３５の下面または外側面に設けられてもよい。
【００５０】
本実施形態では、中間構造体３５は、一対のビーム４０および複数の連結ビーム４８から構成されているが、これに限らない。中間構造体３５は、箱状に形成された構造体であってもよい。この場合には、連結部３６は、中間構造体３５の下面または外側面に設けることができる。
【００５１】
本実施形態では、コネクタ６０は、脚２０に対してＹ方向の両側に設けられているが、これに限らない。コネクタ６０は、脚２０に対してＹ方向の内側のみに設けられてもよいし、Ｙ方向の外側のみに設けられてもよい。
【００５２】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
【符号の説明】
【００５３】
１  什器システム  
２０  脚  
３０  天板
３５  中間構造体  
３６  連結部  
４０  ビーム（杆材）  
４０ａ  内側面  
４０ｂ  下面  
４０ｃ  外側面（側面）  
６０  コネクタ  
６５  取付部材  
７０  配線受部材  
１００  電気配線  
Ｆ  床面（接地面）  
Ｓ１  第一配線空間  
Ｓ２  第二配線空間  
Ｓ３  第三配線空間    
【図１】
0006680557.tif 000002
【図２】
0006680557.tif 000003
【図３】
0006680557.tif 000004
【図４】
0006680557.tif 000005
【図５】
0006680557.tif 000006
【図６】
0006680557.tif 000007
【図７】
0006680557.tif 000008
【図８】
0006680557.tif 000009
【図９】
0006680557.tif 000010
【図１０】
0006680557.tif 000011
【図１１】
0006680557.tif 000012
【図１２】
0006680557.tif 000013